(57)【要約】【課題】鉄道、道路等の施設など、常時震動を受ける個所や、摺動を許容する機械及び装置などで、かつ、締め過ぎによる弊害をきたす材料をボルト等で固定しなければならない個所に使用できる、締め過ぎ防止と、相反する、緩み防止の両方を兼ね備えた、ナットを提供する。【解決手段】大きめのゴム製ワッシャーに、そのゴム製ワッシャーより小さく、そのゴム製ワッシャーより薄く、そのゴム製ワッシャーからはみ出さない厚さの、平ナットを埋め込んで一体として構成されるゴムワッシャー付き平ナットで、市販ＪＩＳナットを二重に取付、電動ドリル等で市販ナット部分を回転させることで、ゴム製ワッシャーのゴム部分が所定の位置についたときゴムの摩擦で回転が止まり、市販ＪＩＳナットが締め付けられ、緩みの無いナットの固定が得られるため、締め過ぎによる弊害をきたす材料を震動を受ける場所で使用する場合や、摺動を許容する機械及び装置などで、震動によるナットの緩みを防ぐことができる、締め過ぎ防止兼緩み防止ナットである【選択図】図３
2014149074.tif 000002
【特許請求の範囲】
【請求項１】
大きめのゴム製ワッシャーに、そのゴム製ワッシャーより小さく、そのゴム製ワッシャーより薄く、そのゴム製ワッシャーからはみ出さない厚さの、平ナットを埋め込んで、構成されるゴムワッシャー付き平ナットで、市販ＪＩＳナットと併用して固定に使用する市販ＪＩＳボルトに捩じり固定することで一体として、所定の位置で締めすぎること無く且つ、緩みの無い締め付けが可能となる、ことを特徴とする、締め過ぎ防止兼緩み防止ナット
【請求項２】
前記平ナットは金属製又は合成樹脂製で、厚さは使用されるボルトのネジピッチ以上の厚さで雌ねじを切ってある、ことを特徴とする請求項１に記載の締め過ぎ防止兼緩み防止ナット
【請求項３】
前記ゴム製ワッシャーは、該平ナットの厚さに略２ｍｍ以上を加えた厚さで、ゴムのほか、滑りにくい弾性材の合成樹脂製等でも可能である、ことを特徴とする、請求項１又は請求項２に記載の締め過ぎ防止兼緩み防止ナット
【請求項４】
前記の締め過ぎ防止兼緩み防止ナットに続けて市販ＪＩＳナットを二重に取付、電動ドリル等で市販ナット部分を回転させることで、該ゴム製ワッシャーのゴム部分が所定の位置についたときゴムの摩擦で回転が止まり、市販ＪＩＳナットが締め付けられ、緩みの無いナットの固定が得られるため、締め過ぎによる弊害をきたす材料を震動を受ける場所で使用する場合や、摺動を許容する機械及び装置などで、震動によるナットの緩みを防ぐことができる、ことを特徴とする請求項１ないし請求項３に記載の締め過ぎ防止兼緩み防止ナット。
【発明の詳細な説明】
【技術分野】
【０００１】  本発明は、締め過ぎによる弊害をきたす材料を、震動を受ける個所で使用する場合や、摺動を許容する機械及び装置などで、震動によるナットの緩みを防ぐことができる、締め過ぎ防止及び緩み防止ナットにかかる。
【背景技術】
【０００２】  緩み防止ナットは種々開発されているが、緩み防止の為の締め過ぎによる弊害も少なくない。
鉄道、道路等の震動を受ける個所で、締め過ぎによる資材の破壊も見られるし、本人出願による［特許文献１］摩擦減震装置や摺動を許容する機械など摺動を阻害できないものも多々ある。
【特許文献１】特開  ２００９−２９３２３４
【発明の開示】
【発明が解決しようとする課題】
【０００３】  そこで、本発明では、この、締め過ぎ防止と、相反する、緩み防止の両方を兼ね備えた、ナットを提供することを目的とする。
【課題を解決するための手段】
【０００４】  上記目的を達成させるため、本願請求項１に係る締め過ぎ防止兼緩み防止ナットは、大きめのゴム製ワッシャーに、そのゴム製ワッシャーより小さく、そのゴム製ワッシャーより薄く、そのゴム製ワッシャーからはみ出さない厚さの、平ナットを埋め込んで、構成されるゴムワッシャー付き平ナットで、市販ＪＩＳナットと併用して固定に使用する市販ＪＩＳボルトに捩じり固定することで一体として、所定の位置で締めすぎること無く且つ、緩みの無い締め付けが可能となる、
本願請求項２に係る締め過ぎ防止兼緩み防止ナットであって、前記平ナットは金属製又は合成樹脂製で、厚さは使用されるボルトのネジピッチ以上の厚さで雌ねじを切ってあり、ボルト径、ネジピッチ及び大きさはＪＩＳの規格寸法にすることが好ましい。
本願請求項３に係る締め過ぎ防止兼緩み防止ナットであって、前記ゴム製ワッシャーは、該平ナットの厚さに略２ｍｍ以上を加えた厚さで、ゴムのほか、滑りにくい弾性材の合成樹脂製等でも可能である。
本願請求項４に係る締め過ぎ防止兼緩み防止ナットであって、前記に該締め付け強さ調整戻り防止ナットに続けて市販ＪＩＳナットを二重に取付、電動ドリル等で市販ＪＩＳナット部分を回転させることで、該ゴム製ワッシャーのゴム部分が所定の位置についたときゴムの摩擦で回転が止まり、市販ＪＩＳナットが締め付けられ、緩みの無いナットの固定が得られるため、締め過ぎによる弊害をきたす材料を震動を受ける場所で使用する場合や、摺動を許容する機械及び装置などで、震動によるナットの緩みを防ぐことができる。なお、ナットに使用するボルトはＪＩＳ規格品が好ましい。
【発明の効果】
【０００５】  本願各請求項に係る発明は上記の構成により、締め過ぎによる弊害をきたす材料を震動を受ける個所で使用する場合や、摺動を許容する機械及び装置などで、震動によるナットの緩みを防ぐことができることから、ネジの緩みによる事故を防ぐことが出来る。
【発明を実施するための最良の形態】
【０００６】  以下、本発明を実施するための最良の形態を図面に基づいて説明する。図１は、本発明に係る、締め過ぎ防止兼緩み防止ナットの構成図で、大きめのゴム製ワッシャー２に、そのゴム製ワッシャー２より小さく、そのゴム製ワッシャー２より薄く、そのゴム製ワッシャー２からはみ出さない厚さの、平ナット３を埋め込んで、構成されるゴムワッシャー付き平ナットで、この平ナット３は金属製又は合成樹脂製で、厚さは使用されるボルトのネジピッチ以上の厚さで、雌ねじを切ってあり、ボルト径、ネジピッチ及び大きさはＪＩＳの規格寸法とする。ゴム製ワッシャー２は、該平ナット３の厚さに略２ｍｍ以上を加えた厚さで、ゴムのほか、滑りにくい弾性材の合成樹脂製等でも可能である。
図２は、締め過ぎ防止兼緩み防止ナット１に続けて市販ＪＩＳナットを、市販ＪＩＳボルト５を二重となるように取付開始の状態で、図３は電動ドリル等で市販ＪＩＳナット部分を回転させることで、該ゴム製ワッシャー２のゴム部分が所定の位置についたときゴムの摩擦で回転が止まり、市販ＪＩＳナットが締め付けられ、締め過ぎなく、緩みの無いナットの固定が完了した状態である。
【産業上の利用可能性】
【０００７】  鉄道、道路等の施設など、常時震動を受ける個所や、摺動を許容する機械及び装置などで、かつ、締め過ぎによる弊害をきたす材料をボルト等で固定しなければならない個所に使用できるなど、産業上の利用価値は高い。
【図面の簡単な説明】
【０００８】
【図１】本発明の一実施の形態に係る、締め過ぎ防止兼緩み防止ナットの断面図（ａ）及び下から見た平面詳細図（ｂ）である。
【図２】本発明の一実施の形態に係る、締め過ぎ防止兼緩み防止ナットの取付開始状態の詳細図である。
【図３】本発明の一実施の形態に係る、締め過ぎ防止兼緩み防止ナットの取付完了状態の詳細図である。
【符号の説明】
【０００９】１・・・締め過ぎ防止兼緩み防止ナット    ２・・・ゴムワッシャー
３・・・平ナット                        ４・・・市販ＪＩＳ規格ナット
５・・・市販ＪＩＳ規格ボルト            ６・・・過度な締め過ぎを嫌う建材
【図１】
2014149074.tif 000003
【図２】
2014149074.tif 000004
【図３】
2014149074.tif 000005